(57)【要約】【課題】本発明は、見る角度によってキラキラと輝く外観を呈する、装飾性に優れたラベルが装着されたラベル付き容器を提供する。【解決手段】周方向Ｙに複数の頂部２７ａを有し且つ隣合う頂部２７ａを結んだ形状が多角形状をなす胴部２２を有する容器体２と、熱収縮性筒状ラベル３とを備え、前記熱収縮性筒状ラベル３の外面３１ｂには、光沢性の異なる高光沢部３４と低光沢部３５が、容器体２の周方向Ｙ又は縦方向Ｘの少なくとも何れかの方向に間隔をおいて交互に設けられている部分を有し、前記熱収縮性筒状ラベル３が、熱収縮によって前記容器体２の胴部２２に装着されているラベル付き容器を解決手段とする。【選択図】      図２
2005015030.tif 000002
【特許請求の範囲】
【請求項１】
周方向に複数の頂部を有し且つ隣合う頂部を結んだ形状が多角形状をなす胴部を有する容器体と、熱収縮性筒状ラベルとを備え、前記熱収縮性筒状ラベルの外面には、光沢性の異なる高光沢部と低光沢部が、容器体の周方向又は縦方向の何れかの方向に間隔をおいて交互に設けられている部分を有し、前記熱収縮性筒状ラベルが、熱収縮によって前記容器体の胴部に装着されていることを特徴とするラベル付き容器。
【請求項２】
放射方向に突出する縦リブが周方向に間隔をおいて複数形成された胴部を有する容器体と、熱収縮性筒状ラベルとを備え、前記熱収縮性筒状ラベルの外面には、光沢性の異なる高光沢部と低光沢部が、容器体の周方向又は縦方向の何れかの方向に間隔をおいて交互に設けられている部分を有し、前記熱収縮性筒状ラベルが、熱収縮によって前記容器体の胴部に装着されていることを特徴とするラベル付き容器。
【発明の詳細な説明】
【０００１】
【発明の属する技術分野】
本発明は、キラキラとした外観を呈するラベル付き容器に関する。
【０００２】
【従来の技術】
従来、例えば、特開２０００−３４４２８０号公報や特開２００１−３２２６１８号公報に記載されているように、複数の縦リブが周方向に所定間隔をおいて複数突設された容器体の胴部に、熱収縮性筒状ラベルが装着されたラベル付き容器が知られている。
【０００３】
【特許文献１】
特開２０００−３４４２８０号公報（第３頁［００１９］−［００２１］、及び図１など）。
【特許文献２】
特開２００１−３２２６１８号公報（第３頁［００１４］、［００１９］、及び図１など）。
【０００４】
かかる容器体は、隣合う縦リブの間に空洞部を有するので、断熱性を有し、例えばインスタント麺などの即席食品や電子レンジで加熱する食品などのように加温される内容物などを収納する容器体として好適である。
【０００５】
【発明が解決しようとする課題】
ところで、上記ラベル付き容器のラベルには、商品名や広告的表示などの所定の意匠印刷が施されているが、意匠印刷以外の手段で、消費者の興味を引くような装飾性に優れたものが望まれている。
【０００６】
本発明は、上記の点に鑑みて、視覚に訴えて消費者の興味を引く装飾が施されたラベル付き容器を提供することを課題とする。
【０００７】
【課題を解決するための手段】
本発明者らは、容器体の形状及び熱収縮性ラベルの熱収縮特性に着目し、下記の手段を講ずることにより本発明を完成した。
すなわち、本発明は、周方向に複数の頂部を有し且つ隣合う頂部を結んだ形状が多角形状をなす胴部を有する容器体と、熱収縮性筒状ラベルとを備え、前記熱収縮性筒状ラベルの外面には、光沢性の異なる高光沢部と低光沢部が、容器体の周方向又は縦方向の少なくとも何れかの方向に間隔をおいて交互に設けられている部分を有し、前記熱収縮性筒状ラベルが、熱収縮によって前記容器体の胴部に装着されているラベル付き容器に係る。
【０００８】
上記ラベル付き容器は、熱収縮性筒状ラベルの外面に、高光沢部と低光沢部が、容器体の周方向又は縦方向に間隔をおいて交互に設けられているので、光沢上のコントラストを有する。そして、ラベルは、周方向の隣合う頂部を結んだ形状が多角形状をなす胴部に、熱収縮によって装着されているので、該ラベルの装着形状は、頂部の対応部分に於いて角部が形成され且つ隣合う頂部間に於いて平面部が形成された、全体として略多面体状となる。かかるラベルの光沢コントラスト及び多面体形状により、例えば、ある平面部に存在する高光沢部が明るく輝いて見え、又、見る角度を変えると、角部を境に光りの反射角が変わるので、他の平面部に存在する高光沢部が明るく輝いて見える。よって、ラベル付き容器は、キラキラと輝く外観を呈する。
【０００９】
また、本発明は、放射方向に突出する縦リブが周方向に間隔をおいて複数形成された胴部を有する容器体と、熱収縮性筒状ラベルとを備え、前記熱収縮性筒状ラベルの外面には、光沢性の異なる高光沢部と低光沢部が、容器体の周方向又は縦方向の少なくとも何れかの方向に間隔をおいて交互に設けられている部分を有し、前記熱収縮性筒状ラベルが、熱収縮によって前記容器体の胴部に装着されているラベル付き容器に係る。
【００１０】
かかるラベル付き容器は、縦リブの頂部に於いて角部が形成され、且つ隣合う縦リブの頂部間に於いて平面部が形成された多面体状にラベルが装着されるので、上記と同様に、見る角度によって、各高光沢部の輝きが変化するキラキラとした外観を呈する。
さらに、縦リブは放射方向に突出しているので、隣合う縦リブの間に空洞部を有し、従って、装着されたラベルの外面に、縦リブの頂部に起因する縦線が透けて見え、更に変化に富んだ外観が創出される。
【００１１】
また、本発明の好ましい態様では、高光沢部の全部又は一部が、縦リブの頂部に跨って設けられた上記ラベル付き容器に係る。
【００１２】
【発明の実施の形態】
以下、本発明について、図面を参照しつつ具体的に説明する。
図１及び図２に於いて、１は、有底筒状の容器体２に熱収縮性筒状ラベル３が熱収縮によって装着されたラベル付き容器を示す。
【００１３】
具体的には、容器体２は、ポリプロピレンなどの合成樹脂製射出成形体からなり、底部２１が閉塞され且つ上面が開口されていると共に、下方に向かうに従い縮径する胴部２２を有する略バケツ形状に形成されている。この底部２１の周囲には、自立させるための接地部２３が下方に突設されており、底部２１の外面には、この接地部２３で囲繞されるように、内側に凹んだ凹部２４が形成されている。また、容器体２の上端周縁部には、ガスバリア性のラミネート材などからなるシート状蓋２５が剥離可能な状態で貼着され、これにより上面開口部２６が閉塞されている。さらに、胴部２２の外壁面２２ａには、容器体２の中心から放射方向に突出された突部が縦方向Ｘ（上下方向）に連続的に繋がった縦リブ２７が設けられており、同一形状の縦リブ２７が、容器体２の周方向Ｙ全体に所定間隔をおいて複数条設けられている。従って、この容器体２は、その隣合う縦リブ２７の頂部２７ａを直線で結んだ横断面形状が正多角形状を成している。尚、２８は、縦リブと胴部の外壁面の間で区画される空洞部を示し、２９は、縦リブが形成されていない（凹凸のない平坦な）円筒状の胴部上方部を示し、３０は、該胴部上方部２９の外面に熱収縮性筒状ラベル３を接着するためのホットメルト接着剤層を示す。
【００１４】
この容器体２の胴部２２及び底部２１の一部を被覆するように、熱収縮性筒状ラベル３が熱収縮によって外嵌装着されており、装着状態で、図２に示すように、この熱収縮性筒状ラベル３は、上記容器体２の縦リブ２７の頂部２７ａを結んだ形状と略同形となっている。すなわち、シュリンク装着されたラベル３は、容器体２の隣合う縦リブ２７，２７間に於いて縦方向Ｘに延びる平面部３ａが形成され、且つ縦リブ２７の頂部２７ａ対応位置で折れ曲がった角部３ｂが形成されており、全体として、この平面部３ａが角部３ｂを介して繋がった略多面体状に形成されている。
シュリンク装着前の熱収縮性筒状ラベル３は、熱収縮性フィルム３１をセンターシールした筒状体であり、このフィルム３１の内面３１ａ（容器体２と接する面）には、商品名や広告的表示などの意匠印刷層３２が単色又は多色刷りにて印刷されていると共に、内面上部には、ホットメルト（感熱接着樹脂）の溶液を塗布し乾燥したホットメルト接着剤層３０が設けられている。一方、このフィルム３１の外面３１ｂには、光沢性の異なる部分を有する装飾表示部３３が、周方向Ｙ全体に且つ縦方向Ｘに所定高さで設けられている。この装飾表示部３３は、光沢性の高い高光沢部３４と、これよりも光沢性の低い低光沢部３５とからなり、両部３４，３５が、周方向Ｙ及び縦方向Ｘに所定間隔をおいて交互に設けられている。この低光沢部３５は、フィルム３１の外面３１ｂにマット印刷されたマット印刷部からなり、高光沢部３４は、マット印刷が施されていない部分（フィルム３１の外面３１ａが露出した部分）からなる。
【００１５】
より具体的には、マット印刷によってフィルム３１の外面３１ｂに、対角線が周方向Ｙと平行となるように正面視菱形形状の低光沢部３５（マット印刷部）が設けられ、かかる形状の低光沢部３５が、周方向Ｙ及び縦方向Ｘに所定間隔をおいて規則的（隣合う菱形形状の頂角を共通させた状態）に且つ交互に複数配列されている。各低光沢部３５の間は、正面視菱形形状にフィルム３１の外面３１ｂが露出しており、この露出部分たる高光沢部３４も同様に、周方向Ｙ及び縦方向Ｘに所定間隔をおいて規則的に且つ交互に配列されている。従って、装飾表示部３３は、同一菱形格子中に、高光沢部３４と低光沢部３５が、規則的に且つ交互（千鳥状）にそれぞれ配列されている。よって、高光沢部３４と低光沢部３５の面積比は略５０：５０である。また、ラベル３は、少なくとも高光沢部３４が、縦リブ２７の頂部２７ａに跨るように容器体２に装着されている。
尚、容器体２の形状によって、（例えば縦方向に於いて）ラベル３の熱収縮率が異なることがあるので、シュリンク装着されたラベル３は、全ての高光沢部３４及び低光沢部３５の形状が必ずしも同一形状にならない場合がある。つまり、複数の高光沢部３４及び低光沢部３５の形状は、熱収縮前に於いて同一形状に形成されており、シュリンク装着後に於いては実質的に同一形状であるが、収縮率が大きい部分は、その大きさが小さくなっている。
【００１６】
次に、ラベル３に使用する熱収縮性フィルム３１は、特に限定されず、例えば、ポリエチレンテレフタレートなどのポリエステル系樹脂、ポリプロピレンなどのオレフィン系樹脂、スチレン−ブタジエン共重合体などのスチレン系樹脂、環状オレフィン系樹脂、塩化ビニル系樹脂、又は２種以上の混合物などからなり、公知の製膜法により製膜し、延伸することにより得られた無色透明なフィルムを用いることができる。また、内面３１ａの意匠印刷層３２が透視可能な程度に着色されたフィルムを用いてもよい。延伸処理は、通常、７０〜１１０℃程度の温度で、幅方向（筒状ラベルとした場合に周方向）に２．０〜８．０倍、好ましくは３．０〜７．０倍程度延伸することにより行われる。さらに、必要に応じて、長手方向（筒状ラベルとした場合に縦方向）にも、例えば１．５倍以下の低倍率で延伸処理を行ってもよい。得られたフィルムは、一軸延伸フィルム又は主延伸方向と直交する方向に若干延伸された二軸延伸フィルムとなり、少なくとも幅方向に於ける熱収縮率（８０℃の温水中に１０秒間浸漬）が約３０％以上、好ましくは約４０％、より好ましくは約５０％以上のフィルムを用いることが好ましい。尚、フィルムの厚みは、２０〜９０μｍ程度、好ましくは３０〜７０μｍ程度に形成される。
【００１７】
また、低光沢部３５を構成するマット印刷は、例えば、シリカ、アルミナ、タルク、クレー、酸化チタン、炭酸バリウムなどの無機粒子や、アクリル酸などのアクリル系単量体と架橋性単量体との共重合体などの架橋高分子などの艶消し剤がビヒクル（必要に応じて配合される着色剤やその他助剤）に配合されたマットインキを用い、グラビア印刷などで塗工することができる。尚、マットインキは、内面３１ａの意匠印刷層３２が透視できる程度に艶消し剤が配合されており（有色の場合には意匠印刷層３２が透視できる程度の色彩）例えば、シリカの場合、５〜２０重量％程度配合すればよい。
高光沢部３４と低光沢部３５の光沢性については、両部３４，３５の光沢差が視認できる程度であれば特に限定されない。また、高光沢部３４の光沢度については特に限定されないが、余りに低いと輝き効果に劣るので、その光沢度（ＪＩＳ  Ｋ７１０５の６０度鏡面に準じた測定値）が、概ね８０％以上、好ましくは１００％以上とするのが好ましい。低光沢部３５については、マット印刷により、艶消し状、すりガラス状にされていることが好ましい。
【００１８】
上記ラベル付き容器１は、熱収縮性筒状ラベル３を、容器体２の胴部２２及び底部２１の下方へ少し延出させた状態で外嵌し、所定の熱収縮温度でラベル３を熱収縮させることにより、製造することができる。
このように複数の縦リブ２７を有する容器体２の胴部２２にラベル３を熱収縮させると、最短距離に収縮する熱収縮フィルム３１の性質上、隣合う縦リブ２７，２７間において直線状に収縮し、且つ縦リブ２７の頂部２７ａで折れ曲がった状態で収縮し、装着されたラベル３の全体形状は、角部３ｂの両側に平面部３ａが繋がった略多面体状となる。そして、このラベル３の外面３１ａには、高光沢部３４と低光沢部３５が周方向Ｙ及び縦方向Ｘに交互に設けられているので、光沢上のコントラストが生じ、見る角度（光の反射角）によって、ある平面部３ａに存在する高光沢部３４が明るく輝いて見え、又、見る角度を変えると他の平面部３ａの高光沢部３４が明るく輝いて見える。従って、ラベル付き容器１は、キラキラと輝いた外観を呈する。
特に、高光沢部３４が、容器体２の縦リブ２７の頂部２７ａに跨った位置となるように装着されているので、角部３ｂを境にして高光沢部３４が連続し、キラキラ感が明確に創出される。
【００１９】
また、上記容器体２は、縦リブ２７間に空洞部２８を有するので、光の方向によって異なるが空洞部２８に対応するラベル３の平面部３ａは比較的暗くなり、この明暗差によって、装着されたラベル３の外面３１ｂに、縦リブ２７の頂部２７ａに起因する縦線が透けて見える。
従って、この透視される縦線と高光沢部３４及び低光沢部３５のキラキラ感とが相俟って、ラベル付き容器１は、更に変化に富んだ外観が創出される。
さらに、高光沢部３４及び低光沢部３５は、図２に示すように、周方向Ｙと非平行な異なる２本の斜辺が交差する形状（上記菱形形状など）に形成されているので、ラベル付き容器１を周方向Ｙに回転させて見た場合に、高光沢部３４がシャープな感じで輝き、よりキラキラとした外観を呈する。
【００２０】
尚、本発明は上記実施形態に限定されるものではなく、本発明の意図する範囲で、適宜の構成を付加、代用、設計変更などすることができる。以下、上記実施形態の変形例について、主として異なる部分を説明し、同様の構成については、用語及び図番を援用し、その説明を省略することがある。
（装飾表示部について）
上記実施形態に於いて、装飾表示部３３は、周方向Ｙの全周に亘って設けられているが、例えば、周方向Ｙの一部に設けられていてもよく、又、ラベル３の外面全面に装飾表示部３３が設けられていてもよい。装飾表示部３３は、容器体２の胴部２２の複数の頂部２７ａの全体を又は一部を被覆可能に設けられていれば、その位置や大きさは限定されない。
【００２１】
（高光沢部及び低光沢部の形状及び配列などについて）
上記実施形態に於いて、高光沢部３４と低光沢部３５は、菱形形状に形成され、これが規則的に交互に配列されているが、例えば、図３に示すように、高光沢部３４及び低光沢部３５が長方形などの四角形に形成され、これが交互に配列されていてもよい。また、図４に示すように、両部３４，３５を所定高さの帯状に形成し、これを縦方向Ｘに交互に配列してもよく、又、図５に示すように、両部３４，３５を斜め帯状に形成し、これを交互に配列してもよい。その他、図６（ａ）に示すように、両部３４，３５を縦帯状に形成し、これを周方向Ｙに交互に配列したものや、同図（ｂ）に示すように、高光沢部３４（又は低光沢部）が周方向Ｙ及び縦方向Ｘに於いて連続的に繋がった部分を有する形状にしたものでもよい。この同図（ｂ）の変形例の場合、例えば、周方向Ｙで見た一部分（指示線Ｙ１）では高光沢部３４と低光沢部３５が交互に設けられていないが、他の部分（指示線Ｙ２）では、両部３４，３５が交互に設けられているので、本発明に含まれる。また、同図（ｃ）に示すように、高光沢部３５（又は低光沢部）を任意の形状に形成し、これを周方向Ｙ又は縦方向Ｘに間隔をおいて配列したものなどでもよい。要は、周方向Ｙ又は縦方向Ｘの少なくとも何れかの方向に於いて、高光沢部３４と低光沢部３５が間隔をおいて交互に配列された部分を有するように構成されていればよく、両部３４，３５の形状や配列の規則性又は不規則性などで限定されるものではない。但し、両部３４，３５の配列は、規則性を有し且つ上記菱形状又は長方形状で周方向Ｙと縦方向Ｘに交互に設けられたものが、非常にキラキラした変化に富む外観を呈するので好ましい。
また、上記実施形態に於いて、装飾表示部３３は、光沢性の異なる２つの部分（高光沢部３４と低光沢部３５）で構成されているが、例えば、高光沢部３４よりも更に光沢性に優れた部分を更に１つ以上設けるなどして、光沢性の異なる３つ以上の部分で装飾表示部３３を構成してもよい。
【００２２】
（高光沢部及び低光沢部の形成手段について）
上記実施形態に於いては、フィルム３１の外面３１ｂを高光沢部３４とし、この上にマット印刷を施すことにより低光沢部３５が設けられているが、高光沢部３４及び低光沢部３５の形成手段はこれに限られず、例えば、マット調の外面３１ｂを有するフィルム３１の外面３１ｂに、艶ニスなどの光沢インキ（パール顔料を含有してもよい）を印刷して高光沢部３４を構成してもよい。この場合、光沢インキが施されていない部分が低光沢部３５に相当する。かかるマット調の外面３１ｂを有するフィルム３１としては、樹脂成分に艶消し剤を混合して製膜延伸して得られたフィルムや、外面３１ｂにマットインキを印刷（コーティング）することによりマット層が設けられたフィルムや、艶消し処理として外面３１ｂに粒子を吹き付けて微細な粗面が形成されたフィルムなどが例示される。
【００２３】
（容器体について）
上記実施形態に於いて、容器体２は、縦方向Ｘ全長に延びる縦リブ２７が周方向Ｙ全体に均等に設けられているが、これに限られず、例えば、周方向Ｙの一部に複数の縦リブ２７が設けられている容器体２でもよく、又、特開２０００−３４４２８０号公報の図２に示すような、縦方向の一部に縦リブ２７が設けられている容器体２を用いてラベル付き容器１を構成してもよい。また、隣合う頂部２７ａを結んだ形状が多角形状をなす容器体２としては、上記各例で示したような縦リブ２７付きの容器体２が好ましいが、本発明はこれに限定されず、例えば、図７の（ａ）に示すように、隣合う頂部２７ａを結んだ線上に胴部外壁面２２ａが形成された胴部断面略多角形状（全体として多面体状）の容器体２を用いてラベル付き容器１を構成してもよい。
さらに、容器体２は、胴部２２が略円筒状のものに限られず、例えば、同図（ｂ）に示すように、楕円形の胴部２２を有する容器体２でもよい。また、容器体２の全体形状としては、上記のような略バケツ状（カップ状）以外に、略ボトル状などでもよい。その他、容器体２は合成樹脂製以外に、アルミなどの金属製、ガラス製、セラミック製などでよく、又、即席麺などの食品、飲料、薬品、化粧品など各種のものを収納することができる。
【００２４】
【発明の効果】
以上のように、本発明に係るラベル付き容器は、多面体状に装着されたラベルの外面に、高光沢部と低光沢部が容器体の周方向又は縦方向に間隔をおいて交互に設けられているので、ある高光沢部が輝いて見えたり見えなかったりし、見る角度によって、キラキラと輝く外観を呈する。従って、消費者などの視覚に訴え、同種商品の中にあっても、特に注目を集めることができる。
【００２５】
また、縦リブが突出された容器体に、高光沢部と低光沢部を有するラベルが装着されたラベル付き容器は、該ラベルの外面に、縦リブの頂部に起因する縦線が透けて見える。従って、この透視される縦線と高光沢部及び低光沢部のキラキラ感とが相俟って、更に変化に富んだ外観が創出される。
【図面の簡単な説明】
【図１】本発明のラベル付き容器の一実施形態を示す概略正面図であって、縦方向中心軸で右半分を断面として現した縦断面を含む正面概略図。
【図２】図１の四角囲いＡ部分を斜め上から見た図であって、一部横断面を含む拡大斜視図。尚、低光沢部を墨塗りで示している（図３〜図６も同じ）。
【図３】ラベル付き容器の他の実施形態を示し、一部を抜粋して斜め上から見た図であって、図２と同様に一部横断面を含む拡大斜視図。
【図４】ラベル付き容器の他の実施形態を示し、一部を抜粋して斜め上から見た図であって、図２と同様に一部横断面を含む拡大斜視図。
【図５】ラベル付き容器の他の実施形態を示し、一部を抜粋して斜め上から見た図であって、図２と同様に一部横断面を含む拡大斜視図。
【図６】（ａ）〜（ｃ）ともに、ラベル付き容器の他の実施形態を示し、その一部を抜粋した正面図。
【図７】（ａ）及び（ｂ）ともに、容器体の他の実施形態を示す横断面図。
【符号の説明】
１…ラベル付き容器、２…容器体、２１…容器体の底部、２２…容器体の胴部、２５…蓋、２２ａ…胴部の外壁面、２７…縦リブ、２７ａ…縦リブの頂部、２８…空洞部、３…熱収縮性筒状ラベル、３ａ…平面図、３ｂ…角部、３１…熱収縮性フィルム、３１ａ…フィルムの内面、３１ｂ…フィルムの外面、３２…意匠印刷層、３３…装飾表示部、３４…高光沢部、３５…低光沢部、Ｘ…縦方向、Ｙ…周方向
【図１】
2005015030.tif 000003
【図２】
2005015030.tif 000004
【図３】
2005015030.tif 000005
【図４】
2005015030.tif 000006
【図５】
2005015030.tif 000007
【図６】
2005015030.tif 000008
【図７】
2005015030.tif 000009